(57)【要約】【課題】有機ＥＬ素子の長寿命化と消費電力の低減を図る有機ＥＬ素子駆動装置。【解決手段】光透過型基板上において互いに対向するカソード電極とアノード電極との間に配置された有機物質からなる有機ＥＬ層を有する有機ＥＬ素子1と、有機ＥＬ素子に接続された電源Vinと、カソード電極及びアノード電極間に電源の直流電圧を印加して有機ＥＬ素子を駆動する駆動手段10と、有機ＥＬ素子を駆動時に有機ＥＬ素子の寄生容量に蓄積された電荷を、電源に回生する回生手段L2,Q3,とを有する。【選択図】図１
2009238524.tif 000002
【特許請求の範囲】
【請求項１】
光透過型基板上において互いに対向するカソード電極とアノード電極との間に配置された有機物質からなる有機ＥＬ（エレクトロルミネッセンス)層を有する有機ＥＬ素子と、
前記有機ＥＬ素子に接続された電源と、
前記カソード電極及び前記アノード電極間に前記電源の直流電圧を印加して前記有機ＥＬ素子を駆動する駆動手段と、
前記有機ＥＬ素子を駆動時に前記有機ＥＬ素子の寄生容量に蓄積された電荷を、前記電源に回生する回生手段と、
を有することを特徴とする有機ＥＬ素子駆動装置。
【請求項２】
光透過型基板上において互いに対向するカソード電極とアノード電極との間に配置された有機物質からなる有機ＥＬ層を有する有機ＥＬ素子と、
前記有機ＥＬ素子に接続された電源と、
前記カソード電極及び前記アノード電極間に前記電源の直流電圧を印加して前記有機ＥＬ素子を駆動する駆動手段と、
前記有機ＥＬ素子に接続され、リアクトルと整流器と駆動素子とを有する回生手段とを有し、
前記回生手段は、前記有機ＥＬ素子を駆動時に前記有機ＥＬ素子の寄生容量に蓄積された電荷を、前記駆動素子をオンさせて前記リアクトルに蓄積させた後、前記整流器により前記有機ＥＬ素子に逆耐圧以下の逆方向電圧を印加し、前記駆動素子をオフさせて前記リアクトルに蓄積された電荷を前記電源に回生させることを特徴とする有機ＥＬ素子駆動装置。
【請求項３】
前記光透過型基板上において互いに対向するカソード電極とアノード電極との間に配置された有機物質からなる有機ＥＬ層を有する複数の前記有機ＥＬ素子を設け、複数の前記有機ＥＬ素子が直列又は並列に接続されてなることを特徴とする請求項１又は請求項２記載の有機ＥＬ素子駆動装置。
【請求項４】
前記有機ＥＬ素子は、カソード電極とアノード電極との間に配置された有機物質で且つ前記有機物質が導電性及び光透過性を有する分離層を用いて積層された複数の発光層を有し、分離された発光層の各々又は全体が発光することを特徴とする請求項１又は請求項２記載の有機ＥＬ素子駆動装置。
【請求項５】
前記駆動手段は、第１パルス信号により前記有機ＥＬ素子を駆動し、前記制御回路は、前記第１パルス信号が複数パルス出力される毎に１パルスを出力する第２パルス信号により前記駆動素子をオン／オフさせることを特徴とする請求項１乃至請求項４のいずれか１項記載の有機ＥＬ素子駆動装置。
【発明の詳細な説明】
【技術分野】
【０００１】
本発明は、有機ＥＬ素子を駆動する有機ＥＬ素子駆動装置に関する。
【背景技術】
【０００２】
有機ＥＬ素子に類似した電流−電圧特性を示すＬＥＤ（発光ダイオード）では、図１６に示すように、パルス信号を用いパルス信号をＰＷＭ（Pulse Width Modulation）制御することにより、調光（輝度＝明るさ制御）を効率良く行なっている。また、有機ＥＬ素子のパルス駆動・調光方式も、図１６に示すＬＥＤのパルス駆動・調光方式と同じ方式を用いている。
【０００３】
有機ＥＬ素子の材料である有機物は、半導体や金属と比較して、大きな誘電率を持つ。有機ＥＬ素子は、大面積化が容易であることから、ＬＥＤ等の発光デバイスと比較して、寄生容量が極端に大きくなってしまう。
【０００４】
このため、有機ＥＬ素子をパルス駆動すると、有機ＥＬ素子の寄生容量に蓄積された大量の（−）電荷がパルス駆動オフ時に放出しきれないため、有機ＥＬ素子の発光層付近の有機分子が、誘電分極を維持したままの状態になる。この状態では、有機ＥＬ素子を実装したパネルの温度が上昇する。
【０００５】
有機ＥＬ素子の材料は、高温動作時の寿命が非常に短く、発光に伴う発熱だけで寿命が短くなってしまう。このため、従来の有機ＥＬ素子駆動装置は、有機ＥＬ素子をパルス駆動するときに、図１７に示すように、有機ＥＬ素子の逆耐圧未満の逆電圧ＶLを持つパルス信号を有機ＥＬ素子に印加することにより、有機ＥＬ素子の寄生容量に蓄積された（−）電荷を周期毎にリセットする。これにより、蓄積された（−）電荷によるパネルの温度の上昇を防ぎ、有機ＥＬ素子の長寿命化を実現していた（特許文献１）。
【特許文献１】特許第３１６９９７４号公報（図１、図２）
【発明の開示】
【発明が解決しようとする課題】
【０００６】
しかしながら、図１７に示す従来のパルス駆動では、有機ＥＬ素子の長寿命化を実現するため、有機ＥＬ素子に逆電圧(逆バイアス)を印加する専用のマイナス電源を用意し、発光用の電源と合わせて２電源を必要としていた。また、図１７に示す従来のパルス駆動では、有機ＥＬ素子の長寿命化を実現するため、有機ＥＬ素子に逆電圧(逆バイアス)を印加していたのみであるため、有機ＥＬ素子の寄生容量に蓄積された電荷は引き抜かれるが、有機ＥＬ素子の発光のための電源へは回生されていない。
【０００７】
有機ＥＬ素子は、高誘電率有機材料、大面積といった特徴から、投入された電力の大半が、寄生容量に充電されてしまう。充電が完了した後、有機ＥＬ素子の発光が開始される。有機ＥＬ素子を長寿命化するために、有機ＥＬ素子に逆バイアスを印加すると、寄生容量に充電された電荷を全て捨ててしまう。逆バイアスを印加しただけでは、電力効率が非常に悪い駆動方式になっていた。
【０００８】
本発明は、有機ＥＬ素子の長寿命化と消費電力の低減を図ることができる有機ＥＬ素子駆動装置を提供することにある。
【課題を解決するための手段】
【０００９】
上記課題を解決するために、請求項１の発明は、光透過型基板上において互いに対向するカソード電極とアノード電極との間に配置された有機物質からなる有機ＥＬ（エレクトロルミネッセンス)層を有する有機ＥＬ素子と、前記有機ＥＬ素子に接続された電源と、前記カソード電極及び前記アノード電極間に前記電源の直流電圧を印加して前記有機ＥＬ素子を駆動する駆動手段と、前記有機ＥＬ素子を駆動時に前記有機ＥＬ素子の寄生容量に蓄積された電荷を、前記電源に回生する回生手段とを有することを特徴とする。
【００１０】
請求項２の発明は、光透過型基板上において互いに対向するカソード電極とアノード電極との間に配置された有機物質からなる有機ＥＬ層を有する有機ＥＬ素子と、前記有機ＥＬ素子に接続された電源と、前記カソード電極及び前記アノード電極間に前記電源の直流電圧を印加して前記有機ＥＬ素子を駆動する駆動手段と、前記有機ＥＬ素子に接続され、リアクトルと整流器と駆動素子とを有する回生手段とを有し、前記回生手段は、前記有機ＥＬ素子を駆動時に前記有機ＥＬ素子の寄生容量に蓄積された電荷を、前記駆動素子をオンさせて前記リアクトルに蓄積させた後、前記整流器により前記有機ＥＬ素子に逆耐圧以下の逆方向電圧を印加し、前記駆動素子をオフさせて前記リアクトルに蓄積された電荷を前記電源に回生させることを特徴とする。
【００１１】
請求項３の発明は、請求項１又は請求項２記載の有機ＥＬ素子駆動装置において、前記光透過型基板上において互いに対向するカソード電極とアノード電極との間に配置された有機物質からなる有機ＥＬ層を有する複数の前記有機ＥＬ素子を設け、複数の前記有機ＥＬ素子が直列又は並列に接続されてなることを特徴とする。
【００１２】
請求項４の発明は、請求項１又は請求項２記載の有機ＥＬ素子駆動装置において、前記有機ＥＬ素子は、カソード電極とアノード電極との間に配置された有機物質で且つ前記有機物質が導電性及び光透過性を有する分離層を用いて積層された複数の発光層を有し、分離された発光層の各々又は全体が発光することを特徴とする。
【００１３】
請求項５の発明は、請求項１至請求項４のいずれか１項記載の有機ＥＬ素子駆動装置において、前記駆動手段は、第１パルス信号により前記有機ＥＬ素子を駆動し、前記制御回路は、前記第１パルス信号が複数パルス出力される毎に１パルスを出力する第２パルス信号により前記駆動素子をオン／オフさせることを特徴とする。
【発明の効果】
【００１４】
請求項１又は請求項２記載の発明によれば、寄生容量に充電された電荷を効率良く利用でき、有機ＥＬ素子の長寿命化と消費電力の低減を図ることができる。
【００１５】
請求項３の発明によれば、複数の有機ＥＬ素子が直列又は並列に接続されているので、高輝度を得ることができる。
【００１６】
請求項４の発明によれば、有機ＥＬ素子が複数の発光層を有するので、高輝度を得ることができる。
【００１７】
請求項５の発明によれば、制御回路は、駆動手段の第１パルス信号が複数パルス出力される毎に１パルスを出力する第２パルス信号により駆動素子をオン／オフさせるので、複数回の発光パルス毎に１回の回生モードとすることができ、寿命と消費電力低減のためのバランスを調整することができる。
【発明を実施するための最良の形態】
【００１８】
以下、本発明の有機ＥＬ素子駆動装置の実施の形態を図面を参照しながら詳細に説明する。
【実施例１】
【００１９】
図１は実施例１の有機ＥＬ素子駆動装置の回路図である。実施例１の有機ＥＬ素子駆動装置は、図２に示すように、有機ＥＬ素子に対して有機ＥＬ素子の逆耐圧以下の逆バイアス電圧Ｖｍｉｎを印加して、有機ＥＬ素子に蓄積された電荷を引き抜き、引き抜いた電荷を電源に回生して有機ＥＬ素子の発光に再利用することにより、有機ＥＬ素子の長寿命化と電力の高効率を図ることを特徴とする。
【００２０】
図１において、直流電源Ｖｉｎの両端にはリアクトルＬ１とＭＯＳＦＥＴからなる駆動素子Ｑ１との直列回路が接続されている。駆動素子Ｑ１のドレイン−ソース間にはダイオードＤ１とコンデンサＣ１との直列回路が接続されている。
【００２１】
コンデンサＣ１の両端には、ＭＯＳＦＥＴからなる駆動素子Ｑ２と有機ＥＬ素子１との直列回路が接続されている。有機ＥＬ素子１は、光透過型基板上において互いに対向するカソード電極とアノード電極との間に配置された有機物質からなる有機ＥＬ層を有し、コンデンサＣ２とダイオードＤ２との等価回路で表されている。なお、有機ＥＬ素子１の構造の詳細については、後述する。
【００２２】
駆動素子Ｑ２と有機ＥＬ素子１との直列回路の両端には、ダイオードＤ３とＭＯＳＦＥＴからなる駆動素子Ｑ３（本発明の駆動素子に対応）との直列回路が接続されている。駆動素子Ｑ２と有機ＥＬ素子１との接続点とダイオードＤ３と駆動素子Ｑ３との接続点との間には、リアクトルＬ２（本発明のリアクトルに対応）が接続されている。有機ＥＬ素子１の両端にはダイオードＤ４（本発明の整流素子に対応）が接続されている。ダイオードＤ４の順方向電圧降下は、有機ＥＬ素子１の逆耐圧以下の電圧である。
【００２３】
直流電源Ｖｉｎ、リアクトルＬ１、駆動素子Ｑ１、ダイオードＤ１及びコンデンサＣ１は、昇圧チョッパ回路を構成している。なお、昇圧チョッパ回路の代わりに、ＤＣ−ＤＣコンバータを用いても良い。
【００２４】
制御回路１０（本発明の駆動手段及び制御回路に対応）は、駆動素子Ｑ１のゲートとダイオードＤ１とコンデンサＣ１との接続点と駆動素子Ｑ２のゲートと駆動素子Ｑ３のゲートとに接続されている。制御回路１０は、コンデンサＣ１の両端電圧に基づき、第１ＰＷＭ制御信号により駆動素子Ｑ１をオン／オフ制御することによりコンデンサＣ１の両端電圧を所定電圧に制御する。
【００２５】
また、制御回路１０は、第２ＰＷＭ制御信号により駆動素子Ｑ２をオン／オフ制御することにより有機ＥＬ素子１の発光を制御するとともに、駆動素子Ｑ２と駆動素子Ｑ３とを交互にオン／オフさせる。
【００２６】
即ち、制御回路１０は、有機ＥＬ素子１のカソード電極及びアノード電極間に電圧を印加しない期間に駆動素子Ｑ３をオンさせて有機ＥＬ素子１のカソード電極及びアノード電極間の寄生容量に蓄積された電荷をリアクトルＬ２に蓄積させ且つダイオードＤ４により有機ＥＬ素子１のカソード電極及びアノード電極間に有機ＥＬ素子１の逆耐圧以下の逆方向電圧を印加させ、駆動素子Ｑ３をオフさせてリアクトルＬ２に蓄積された電荷を電源であるコンデンサＣ１に回生させるようになっている。
【００２７】
次にこのように構成された実施例１の有機ＥＬ素子駆動装置の動作を説明する。
【００２８】
図３は実施例１の有機ＥＬ素子駆動装置の各モードにおける動作を説明するための図である。図４は実施例１の有機ＥＬ素子駆動装置でデットタイムがあり且つ２パルスに一回回生する場合の各部の動作を示すタイミングチャートである。図５は実施例１の有機ＥＬ素子駆動装置でデットタイムがある場合の各部の動作を示すタイミングチャートである。図６は実施例１の有機ＥＬ素子駆動装置でデットタイムがない場合の各部の動作を示すタイミングチャートである。
【００２９】
図４では、２パルス（時刻ｔ１〜ｔ２のパルスと時刻ｔ４〜ｔ６のパルス）の内の時刻ｔ４〜ｔ６のパルスの時に電力を電源に回生している。図４及び図５では、ゲート信号Ｑ２ｇとゲート信号Ｑ３ｇとのデットタイムが時刻ｔ３〜ｔ４の時間である。図４及び図５のタイミングチャートと、図６のそれとの違いは、デットタイムの有無のみであるので、ここでは、図３及び図６を用いて実施例１の有機ＥＬ素子駆動装置のデットタイムがない場合の動作を説明する。
【００３０】
なお、図４乃至図６において、ＥＬｉは有機ＥＬ素子１に流れる電流、ＥＬｖは有機ＥＬ素子１の両端電圧、Ｑ２ｇは駆動素子Ｑ２のゲート信号、Ｌ２ｉはリアクトルＬ２に流れる電流、Ｑ３ｇは駆動素子Ｑ３のゲート信号、Ｑ３ｖは駆動素子Ｑ３のドレイン−ソース間電圧を示す。
【００３１】
まず、昇圧チョッパ回路の動作によりコンデンサＣ１の両端電圧が所定電圧になっているものとする。時刻ｔ０において、図３（ａ）に示すように、駆動素子Ｑ３がオフ状態のときに、ゲート信号Ｑ２ｇにより駆動素子Ｑ２がオンすると、コンデンサＣ１に蓄積された電荷により、Ｃ１→Ｑ２→有機ＥＬ素子１→Ｃ１の経路で電流ＥＬｉが流れる。即ち、有機ＥＬ素子１に順方向バイアスが印加されて有機ＥＬ素子１が発光する。
【００３２】
次に、時刻ｔ４において、図３（ｂ）に示すように、ゲート信号Ｑ２ｇにより駆動素子Ｑ２がオフし、これと同時にゲート信号Ｑ３ｇにより駆動素子Ｑ３がオンすると、有機ＥＬ素子１とリアクトルＬ２とが並列に接続される。このため、有機ＥＬ素子１の寄生容量であるコンデンサＣ２に蓄積された電荷によりリアクトルＬ２と駆動素子Ｑ３とに電流Ｌ２ｉが流れる。このため、リアクトルＬ２にエネルギーが蓄積される。
【００３３】
次に、時刻ｔ５において、有機ＥＬ素子１の寄生容量に蓄えられた電荷エネルギーがゼロとなるとリアクトルＬ２の電流Ｌ２ｉが減少に転じる。その後、図３（ｃ）に示すように、有機ＥＬ素子１に逆バイアス電圧ＥＬｖが印加される。そして、Ｌ２→Ｑ３→Ｄ４→Ｌ２の経路で電流Ｌ２ｉが徐々に減少して流れる。このとき、有機ＥＬ素子１の両端電圧ＥＬｖがダイオードＤ４の閾値にクランプされ、有機ＥＬ素子１の逆耐圧以下の電圧が印加される。
【００３４】
次に、時刻ｔ６において、図３（ｄ）に示すように、駆動素子Ｑ２がオフした状態で、ゲート信号Ｑ３ｇにより駆動素子Ｑ３がオフすると、Ｌ２→Ｄ３→Ｃ１→Ｄ４→Ｌ２の経路で電流が流れる。即ち、リアクトルＬ２に蓄積されたエネルギーが電源側のコンデンサＣ１に回生される。
【００３５】
そして、図３（ｅ）に示すように、駆動素子Ｑ２及び駆動素子Ｑ３がオフした状態で、コンデンサＣ１への回生が終了し、再び駆動素子Ｑ２がオンすると図３（ａ）に示す状態に戻る。
【００３６】
このように実施例１の有機ＥＬ素子駆動装置によれば、制御回路１０は、有機ＥＬ素子１のカソード電極及びアノード電極間に電圧を印加しない期間に駆動素子Ｑ３をオンさせて有機ＥＬ素子１のカソード電極及びアノード電極間の寄生容量に蓄積された電荷をリアクトルＬ２に蓄積させ且つダイオードＤ４により有機ＥＬ素子１のカソード電極及びアノード電極間に有機ＥＬ素子１の逆耐圧以下の逆方向電圧を印加させ、駆動素子Ｑ３をオフさせてリアクトルＬ２に蓄積された電荷を電源であるコンデンサＣ１に回生させるので、寄生容量に充電された電荷を効率良く利用でき、有機ＥＬ素子１の長寿命化と電力の高効率を図ることができる。
【００３７】
また、図４に示す例では、制御回路１０が、駆動素子Ｑ２のゲート信号Ｑ２ｇにより有機ＥＬ素子１を駆動し、ゲート信号Ｑ２ｇが２パルス出力される毎に１パルスを出力する駆動素子Ｑ３のゲート信号Ｑ３ｇにより駆動素子Ｑ３をオン／オフさせるので、２回の発光パルス毎に１回の回生モードとすることができる。また、制御回路１０は、３回以上の発光パルス毎に１回の回生モードとすることもできる。
【００３８】
なお、図１の実施例１では、有機ＥＬ素子１に対応して１回路構成としているが、複数の有機ＥＬ素子１を発光させるために、図１に示す回路を複数個設け、複数の駆動素子Ｑ２のオン／オフのタイミングを制御することにより、有機ＥＬ素子１の発光のタイミング制御を行うことができる。
【実施例２】
【００３９】
図７は実施例２の有機ＥＬ素子駆動装置の回路図である。実施例２は、１つの電源で複数の有機ＥＬ素子１を独立に制御することを特徴とする。
【００４０】
直流電源Ｖｉｎの両端にはリアクトルＬ１とＭＯＳＦＥＴからなる駆動素子Ｑ１との直列回路が接続されている。駆動素子Ｑ１のドレイン−ソース間には、ＭＯＳＦＥＴからなる駆動素子Ｑ１１と有機ＥＬ素子駆動部３−１との直列回路が接続され、ＭＯＳＦＥＴからなる駆動素子Ｑ１２と有機ＥＬ素子駆動部３−２との直列回路が接続されるように、ｎ個の直列回路が接続されている。
【００４１】
有機ＥＬ素子駆動部３−１〜３−ｎは、駆動素子Ｑ２，Ｑ３、有機ＥＬ素子１、ダイオードＤ３，Ｄ４、リアクトルＬ２を有して構成されている。
【００４２】
駆動素子Ｑ１１，Ｑ１２〜Ｑ１ｎのドレインと直流電源Ｖｉｎの負極との間には、コンデンサＣ１１，Ｃ１２〜Ｃ１ｎが接続されている。制御回路１０ａは、駆動素子Ｑ１〜Ｑ３、駆動素子Ｑ１１〜Ｑ１ｎのオン／オフのタイミングを制御する。
【００４３】
このように構成された実施例２の有機ＥＬ素子駆動装置によれば、制御回路１０ａにより駆動素子Ｑ１１〜Ｑ１ｎと駆動素子Ｑ２とのオン／オフを制御することにより、複数の有機ＥＬ素子１の発光を制御することができる。
【実施例３】
【００４４】
図８は実施例３の有機ＥＬ素子駆動装置の回路図である。
【００４５】
図８において、直流電源Ｖｉｎの両端にはコンデンサＣ３が接続され、このコンデンサＣ３の両端には、ＭＯＳＦＥＴからなる駆動素子Ｑ４とＭＯＳＦＥＴからなる駆動素子Ｑ５との直列回路が接続されている。駆動素子Ｑ４のドレイン−ソース間にはダイオードＤ５が接続され、駆動素子Ｑ５のドレイン−ソース間にはダイオードＤ６が接続されている。
【００４６】
ダイオードＤ６の両端には、リアクトルＬ３とダイオードＤ７との直列回路が接続され、ダイオードＤ７の両端には、有機ＥＬ素子１が接続されている。ダイオードＤ７の順方向電圧降下は、有機ＥＬ素子１の逆耐圧以下の電圧である。
【００４７】
制御回路１１は、駆動素子Ｑ４のゲートと駆動素子Ｑ５のゲートとに接続され、ＰＷＭ制御信号により駆動素子Ｑ４をオン／オフ制御することにより有機ＥＬ素子１の発光を制御する。図９（ａ）〜（ｃ）。なお、回生と有機ＥＬ素子１に逆電圧を印加する場合には、駆動素子Ｑ４とＱ５とを交互にオン／オフさせる。図９（ａ）〜（ｅ）。
【００４８】
即ち、制御回路１１は、有機ＥＬ素子１のカソード電極及びアノード電極間に電圧を印加しない期間に駆動素子Ｑ５をオンさせて有機ＥＬ素子１のカソード電極及びアノード電極間の寄生容量に蓄積された電荷をリアクトルＬ３に蓄積させ且つダイオードＤ７により有機ＥＬ素子１のカソード電極及びアノード電極間に有機ＥＬ素子１の逆耐圧以下の逆方向電圧を印加させ、駆動素子Ｑ５をオフさせてリアクトルＬ３に蓄積された電荷を電源であるコンデンサＣ３に回生させるようになっている。
【００４９】
次にこのように構成された実施例３の有機ＥＬ素子駆動装置の動作を図９を参照しながら説明する。
【００５０】
まず、図９（ａ）に示すように、駆動素子Ｑ５がオフ状態のときに、駆動素子Ｑ４がオンすると、直流電源Ｖｉｎにより、Ｖｉｎ→Ｌ３→有機ＥＬ素子１→Ｑ４→Ｖｉｎの経路で電流が流れる。即ち、有機ＥＬ素子１に順方向バイアスが印加されて有機ＥＬ素子１が発光する。
【００５１】
次に、図９（ｂ）に示すように、駆動素子Ｑ４がオフすると、リアクトルＬ３の極性が逆転し、リアクトルＬ３に蓄積されたエネルギーが放電し、Ｌ３→有機ＥＬ素子１→Ｑ５→Ｌ３の経路で電流が流れる。即ち、リアクトルＬ３のエネルギーにより有機ＥＬ素子１が発光する。
【００５２】
次に、図９（ｃ）に示すように、リアクトルＬ３のエネルギー放出が完了する。その後、図９（ｄ）に示すように、リアクトルＬ３の極性が逆転し、有機ＥＬ素子１の寄生容量であるコンデンサＣ２に蓄積された電荷により、有機ＥＬ素子１→Ｌ３→Ｑ５→有機ＥＬ素子１の経路で電流が流れるため、リアクトルＬ３にエネルギーが蓄積される。
【００５３】
次に、図９（ｅ）に示すように、駆動素子Ｑ５がオフすると、リアクトルＬ３に蓄積されたエネルギーがコンデンサＣ３に回生される。即ち、Ｌ３→Ｃ３→Ｄ５→有機ＥＬ素子１→Ｌ３の経路で電流が流れる。このとき、有機ＥＬ素子１の両端電圧がダイオードＤ７の順方向電圧にクランプされ、有機ＥＬ素子１に有機ＥＬ素子１の逆耐圧以下の電圧が印加される。
【００５４】
このように実施例３の有機ＥＬ素子駆動装置によれば、実施例１の有機ＥＬ素子駆動装置の動作と同様に動作するとともに同様な効果が得られる。
【００５５】
（有機ＥＬ素子の構造）
次に、図１０を用いて実施例１乃至３の有機ＥＬ素子１の基本構造を説明する。図１０（ａ）に示す有機ＥＬ素子は、ガラス等の透明基板２１にインジウム錫酸化物等の正極（＋）用の透明電極２２（本発明のアノード電極に対応）が積層され、透明電極２２に有機物質又は同等の性能を有する無機物又は無機物質からなるホール注入層２３が積層されている。ホール注入層２３と電子注入層２５のガラス等の透明基板２１に対する構成は逆になっても良い。
【００５６】
ホール注入層２３に有機物質からなる有機ＥＬ層である発光層２４が積層され、発光層２４に有機物質又は同等の性能を有する無機質からなる電子注入層２５が積層され、電子注入層２５に負極（−）用の電極２６（本発明のカソード電極に対応）が積層されている。
【００５７】
なお、図示していないが、透明電極２２は、複数個併設しても良く、電極２６も、複数個併設しても良い。電極２６は、可視光領域で高い反射率を有する材料で、透明基板（ガラス基板）側に光を取り出す機能も兼ねている。
【００５８】
また、透明電極を電極２６に用いて、アノード、カソード両側から光を取り出しても良い。また、図１０（ｂ）に示す有機ＥＬ素子は、図１０（ａ）に示す有機ＥＬ素子の構造に対してさらに、ホール注入層２３と発光層２４との間にホール輸送層３３が配置されている。
【００５９】
また、図１０（ｃ）に示す有機ＥＬ素子は、図１０（ａ）に示す有機ＥＬ素子の構造に対して電子注入層２５を削除したものであり、図１０（ｄ）に示す有機ＥＬ素子は、図１０（ｃ）に示す有機ＥＬ素子の構造に対してホール注入層２３を削除したものである。このような構造の有機ＥＬ素子を用いても良い。
【００６０】
また、図１１に示すように、有機ＥＬ素子として、図１０に示すような構成の３つのの有機ＥＬ素子１ａ〜１ｃを直列に接続した第１構成例を用いても良い。図１１に示す第１構成例では、有機ＥＬ素子１ａの電極２６と有機ＥＬ素子１ｂの透明電極２２とをワイヤ３１又は電極配線で接続し、有機ＥＬ素子１ｂの電極２６と有機ＥＬ素子１ｃの透明電極２２とをワイヤ３１又は電極配線で接続しているので、高輝度が得られる。
【００６１】
また、図１２に示すように、有機ＥＬ素子として、３つの有機ＥＬ素子１ａ〜１ｃを直列に接続した第２構成例を用いても良い。図１２に示す第２構成例では、透明基板２１ａに３つの透明電極２２を積層し、各々の透明電極２２毎に、ホール注入層２３、発光層２４、電子注入層２５、電極２６が順番に積層されている。また、透明電極２２間はセパレータ２７で分離されている。
【００６２】
有機ＥＬ素子１ｃの透明電極２２には電極（＋）２８ａが接続され、有機ＥＬ素子１ｃの電極２６は有機ＥＬ素子１ｂの透明電極２２に接続されている。有機ＥＬ素子１ｂの電極２６は有機ＥＬ素子１ａの透明電極２２に接続され、有機ＥＬ素子１ａの電極２６は電極（−）２８ｂに接続されている。以上の構成で、３つの有機ＥＬ素子１ａ〜１ｃが直列に接続されている。
【００６３】
このような図１２に示す第２構成例であっても、図１１に示す第１構成例と同様に高輝度が得られる。
【００６４】
図１３は複数の発光層を有する有機ＥＬ素子の構造図である。図１３に示す有機ＥＬ素子は、透明電極２２にホール注入層２３ａが積層され、ホール注入層２３ａに発光層２４ａが積層され、発光層２４ａに電子注入層２５ａが積層されている。
【００６５】
電子注入層２５ａに光を透過する薄い金属膜又は誘電体膜からなる分離層３０が積層され、分離層３０にホール注入層２３ｂが積層され、ホール注入層２３ｂに発光層２４ｂが積層され、発光層２４ｂに電子注入層２５ｂが積層され、電子注入層２５ｂに電極２６が積層されている。
【００６６】
このように有機ＥＬ素子内に発光層２４ａ，２４ｂが設けられ、且つこれらが直列に接続されているので、高輝度が得られる。
【００６７】
図１４は複数の有機ＥＬ素子を並列に接続した第１構成例を示す図である。図１４に示す第１構成例では、図１０に示すような構成と同一構成の有機ＥＬ素子１ａと有機ＥＬ素子１ｂと有機ＥＬ素子１ｃとの各々の透明電極２２が電極配線又はワイヤ３１で共通に接続されている。有機ＥＬ素子１ａと有機ＥＬ素子１ｂと有機ＥＬ素子１ｃとの各々の電極２６がワイヤ３１で共通に接続されている。即ち、有機ＥＬ素子１ａと有機ＥＬ素子１ｂと有機ＥＬ素子１ｃとが並列に接続されているので、有機ＥＬ素子の発光面積を増やすことができる。
【００６８】
図１５は複数の有機ＥＬ素子を並列に接続した第２構成例を示す図である。図１５に示す第２構成例では、透明基板２１ａに透明電極２２ａが積層され、透明電極２２ａに３つのホール注入層２３が積層されている。各ホール注入層２３毎に、発光層２４、電子注入層２５が順番に積層されている。３つの電子注入層２５の各々に電極２６が積層されて、３つの有機ＥＬ素子１ａ〜１ｃが構成されている。３つの有機ＥＬ素子１ａ〜１ｃは互いにセパレータ２７で分離されている。
【００６９】
このような図１５に示す第２構成例によれば、３つの有機ＥＬ素子１ａ〜１ｃが並列に接続さているので、有機ＥＬ素子の発光面積を増やすことができる。
【図面の簡単な説明】
【００７０】
【図１】実施例１の有機ＥＬ素子駆動装置の回路図である。
【図２】実施例１の有機ＥＬ素子に印加されるパルス電圧波形を示す図である。
【図３】実施例１の有機ＥＬ素子駆動装置の各モードにおける動作を説明するための図である。
【図４】実施例１の有機ＥＬ素子駆動装置でデットタイムがあり且つ２パルスに一回回生する場合の各部の動作を示すタイミングチャートである。
【図５】実施例１の有機ＥＬ素子駆動装置でデットタイムがある場合の各部の動作を示すタイミングチャートである。
【図６】実施例１の有機ＥＬ素子駆動装置でデットタイムがない場合の各部の動作を示すタイミングチャートである。
【図７】実施例２の有機ＥＬ素子駆動装置の回路図である。
【図８】実施例３の有機ＥＬ素子駆動装置の回路図である。
【図９】実施例３の有機ＥＬ素子駆動装置の各モードにおける動作を説明するための図である。
【図１０】有機ＥＬ素子の基本構造図である。
【図１１】複数の有機ＥＬ素子を直列に接続した第１構成例を示す図である。
【図１２】複数の有機ＥＬ素子を直列に接続した第２構成例を示す図である。
【図１３】複数の発光層を有する有機ＥＬ素子の構造図である。
【図１４】複数の有機ＥＬ素子を並列に接続した第１構成例を示す図である。
【図１５】複数の有機ＥＬ素子を並列に接続した第２構成例を示す図である。
【図１６】従来の有機ＥＬ素子駆動装置の有機ＥＬ素子に印加されるパルス電圧波形の一例を示す図である。
【図１７】従来の有機ＥＬ素子駆動装置の有機ＥＬ素子に印加されるパルス電圧波形の他の一例を示す図である。
【符号の説明】
【００７１】
Ｖｉｎ  直流電源
Ｌ１，Ｌ２，Ｌ３  リアクトル
Ｑ１，Ｑ２，Ｑ３，Ｑ４，Ｑ５，Ｑ１１，Ｑ１２  駆動素子
Ｄ１，Ｄ３，Ｄ４，Ｄ５，Ｄ６，Ｄ７  ダイオード
Ｃ１，Ｃ３，Ｃ１１，Ｃ１２  コンデンサ
Ｃ２  有機ＥＬ素子の寄生コンデンサ
Ｄ２  有機ＥＬ素子の寄生ダイオード
１，１ａ〜１ｃ  有機ＥＬ素子
３−１，３−２  有機ＥＬ素子駆動部
１０，１０ａ，１１  制御回路
２１，２１ａ  透明基板
２２  透明電極（＋）
２６，２６ａ  裏面電極（−）
２３，２３ａ，２３ｂ  ホール注入層
２４，２４ａ，２４ｂ  発光層  
２５，２５ａ，２５ｂ  電子注入層
２７  セパレータ
２８ａ，２８ｂ  電極
３０  光を透過する薄い金属又は誘電体膜
３１  電極配線又はワイヤ
３３，３３ａ  ホール輸送層
【図１】
2009238524.tif 000003
【図２】
2009238524.tif 000004
【図３】
2009238524.tif 000005
【図４】
2009238524.tif 000006
【図５】
2009238524.tif 000007
【図６】
2009238524.tif 000008
【図７】
2009238524.tif 000009
【図８】
2009238524.tif 000010
【図９】
2009238524.tif 000011
【図１０】
2009238524.tif 000012
【図１１】
2009238524.tif 000013
【図１２】
2009238524.tif 000014
【図１３】
2009238524.tif 000015
【図１４】
2009238524.tif 000016
【図１５】
2009238524.tif 000017
【図１６】
2009238524.tif 000018
【図１７】
2009238524.tif 000019